(57)【特許請求の範囲】
【請求項１】
特別可変表示装置の３つの可変表示部に表示結果として表示される図柄の組合せがその停止位置を含めて予め定めた表示態様となったときに大当り遊技状態となる弾球遊技機であって、
前記特別可変表示装置の前記３つの可変表示部は、打玉が始動ゲートを通過したことにより可変表示したのち停止される普通可変表示装置の表示結果が当り態様となったときに開放する玉受部材により受入れられた打玉が始動入賞口に入賞することにより可変表示され、かつ、前記３つの可変表示部のうち１つの可変表示部においては１つの表示位置で図柄が変動表示したのち該表示位置に図柄が停止表示される一方、前記３つの可変表示部のうち２つの可変表示部にはそれぞれ複数の停止位置が環状に設けられ、該環状に設けられた複数の停止位置を図柄が循環移動表示したのちいずれかの停止位置に図柄が停止表示されるとともに２つの可変表示部のうちの１つが前記３つの可変表示部のうち最後に図柄が停止する最後可変表示部とされており、
前記３つの可変表示部が可変開始したのち前記最後可変表示部以外の２つの可変表示部において図柄が停止表示された段階で該停止表示された図柄の組合せが前記予め定めた表示態様となる条件を満たしているときに、前記最後可変表示部の前記図柄の循環移動表示において、前記予め定めた表示態様となる条件を満たしていないときの表示時間よりも長い表示時間をかけて図柄の移動速度が徐々に遅くなるように表示制御すると共に図柄が停止する際に前記予め定めた表示態様となる停止位置に隣接する停止位置方向に行きかけたり前記予め定めた表示態様となる停止位置方向に戻ったりする揺れ動作を所定回数行うように図柄を表示制御する表示制御手段と、を備えたことを特徴とする弾球遊技機。
【発明の詳細な説明】
【０００１】
【発明の属する技術分野】
この発明は、可変表示装置の複数の可変表示部に表示される識別情報の組合せが予め定めた特定表示態様となったときに遊技者にとって有利な大当り遊技状態にすることが可能な遊技機に関するものである。
【０００２】
【従来の技術】
従来、可変表示装置の複数の可変表示部に表示される識別情報の組合せが予め定めた特定表示態様となったときに遊技者にとって有利な大当り遊技状態にすることが可能な遊技機が多数提案されていた。例えば、弾発したパチンコ玉が始動入賞口に入賞したときに複数の可変表示部を変動表示させ、その変動表示が順次停止されたときの識別情報の組合せが予め定めた識別情報の組合せ（例えば、７のゾロ目）と一致したときに、大当り遊技状態となって、例えば、遊技装置としての可変入賞球装置を遊技者にとって有利な状態に変化させていた。
【０００３】
【発明が解決しようとする課題】
ところで、特定表示態様となる可能性がある場合（一般的にリーチ状態と言われる）には、例えば、最後に停止する可変表示部の変動速度を通常とは異なる速度にする等の制御を行って遊技者の期待感を盛り上げるものが少しずつ提案されている。この発明は、上記のようなリーチ状態における変動表示に工夫を取り入れる傾向のある中で、新規な変動表示を行うことが可能な可変表示装置を備えた遊技機を提案することにある。
【０００４】
【課題を解決するための手段】
上記した目的を達成するために、本発明においては、
特別可変表示装置の３つの可変表示部に表示結果として表示される図柄の組合せがその停止位置を含めて予め定めた表示態様となったときに大当り遊技状態となる弾球遊技機であって、
前記特別可変表示装置の前記３つの可変表示部は、打玉が始動ゲートを通過したことにより可変表示したのち停止される普通可変表示装置の表示結果が当り態様となったときに開放する玉受部材により受入れられた打玉が始動入賞口に入賞することにより可変表示され、かつ、前記３つの可変表示部のうち１つの可変表示部においては１つの表示位置で図柄が変動表示したのち該表示位置に図柄が停止表示される一方、前記３つの可変表示部のうち２つの可変表示部にはそれぞれ複数の停止位置が環状に設けられ、該環状に設けられた複数の停止位置を図柄が循環移動表示したのちいずれかの停止位置に図柄が停止表示されるとともに２つの可変表示部のうちの１つが前記３つの可変表示部のうち最後に図柄が停止する最後可変表示部とされており、
前記３つの可変表示部が可変開始したのち前記最後可変表示部以外の２つの可変表示部において図柄が停止表示された段階で該停止表示された図柄の組合せが前記予め定めた表示態様となる条件を満たしているときに、前記最後可変表示部の前記図柄の循環移動表示において、前記予め定めた表示態様となる条件を満たしていないときの表示時間よりも長い表示時間をかけて図柄の移動速度が徐々に遅くなるように表示制御すると共に図柄が停止する際に前記予め定めた表示態様となる停止位置に隣接する停止位置方向に行きかけたり前記予め定めた表示態様となる停止位置方向に戻ったりする揺れ動作を所定回数行うように図柄を表示制御する表示制御手段と、を備えたことを特徴とするものである。
【０００５】
上記のように構成することにより、３つの可変表示部が可変開始したのち最後可変表示部以外の２つの可変表示部において図柄が停止表示された段階で該停止表示された図柄の組合せが予め定めた表示態様となる条件を満たしているときに、最後可変表示部の図柄の循環移動表示において、予め定めた表示態様となる条件を満たしていないときの表示時間よりも長い表示時間をかけて図柄の移動速度が徐々に遅くなるように表示制御すると共に図柄が停止する際に予め定めた表示態様となる停止位置に隣接する停止位置方向に行きかけたり予め定めた表示態様となる停止位置方向に戻ったりする揺れ動作を所定回数行うように図柄を表示制御されるため、大当りになるのか外れになるのかの期待感と不安感とが入り交じり、遊技者の期待感を盛り上げることができる。
【０００６】
【発明の実施の形態】
以下、図面を参照して、本発明の実施形態について説明する。まず、実施形態に係る電気的変動表示部材が使用されている可変表示装置３０が適用される弾球遊技機の遊技盤１の構成について図４を参照して説明する。図において、遊技盤１にほぼ円状に植立された区画レール２によって形成される遊技領域３には、そのほぼ中央に可変表示装置３０が配置され、該可変表示装置３０の下方に可変入賞球装置４が配置されている。可変表示装置３０は、特別可変表示装置を構成する表示部３７、変動表示器３９及び変動表示器４１と、普通可変表示装置を構成する普通可変表示器４５ａ，４５ｂとを含んで構成されている。なお、可変表示装置３０は、後に詳述する。
【０００７】
前記可変入賞球装置４は、遊技盤１の表面に取り付けられる取付基板５を有し、そのほぼ中央左右に一対の玉受部材６ａ，６ｂが開閉自在に取り付けられている。玉受部材６ａ，６ｂによって受け入れられた打球は、入賞領域７に導かれて入賞玉となるが、入賞領域７が３つに区画されて中央がＶ入賞口となっている。Ｖ入賞口には、Ｖ入賞玉検出器８が付設され、Ｖ入賞口に入賞した入賞玉を検出し、検出した旨を入賞領域７の後面に設けられるＶ入賞表示ＬＥＤ１０で表示している。また、可変入賞球装置４には、次に説明する１回の開放状態中に入賞領域７に入賞した入賞玉を検出するために入賞玉検出器９も付設されており、入賞玉検出器９で検出した入賞玉数を可変入賞球装置４の下部前面に臨ませた入賞個数表示器１１で表示させるようになっている。
【０００８】
上記した玉受部材６ａ，６ｂは、可変表示装置３０の特別可変表示装置を構成する表示部３７（正確には、変動ＬＥＤ３８ａ〜３８ｐを含む）、変動表示器３９、及び変動表示器４１の表示結果が予め定めた表示態様（以下、大当り態様という）となったことに基づいて一定時間（例えば、２５秒）が経過するまで、又はその一定時間が経過する前に所定個数（例えば、１０個）の入賞玉が発生するまで開放して打球を受け入れるようになっている。また、その開放中に受け入れた入賞玉がＶ入賞口に入賞したときには、次回の開放状態を留保する継続権が成立し、当該回の開放状態が終了した後、所定のインターバル時間をおいて次回の開放状態に移行する。そして、このような玉受部材６ａ，６ｂの開放状態の繰り返しは、Ｖ入賞口に入賞玉が入賞することを条件として所定回数（例えば、１６回）行われるようになっている。なお、可変入賞球装置４の玉受部材６ａ，６ｂが上記した動作を許容された遊技状態を一般的に大当り遊技状態という。
【０００９】
また、可変入賞球装置４の上部には、もう１つの一対の玉受部材１２ａ，１２ｂ（以下、第２玉受部材という）が開閉自在に設けられている。この第２玉受部材１２ａ，１２ｂは、通常時始動入賞口１３を閉塞しており、可変表示装置３０に含まれる普通可変表示装置としての普通可変表示器４５ａ，４５ｂの表示結果が予め定めた表示態様（以下、当り態様という）となったことに基づいて一定時間（例えば、６秒）が経過するまで開放して打球を受け入れるようになっている。第２玉受部材１２ａ，１２ｂによって始動入賞口１３に受け入れられた入賞玉は、遊技盤１の裏面に設けられる始動入賞玉検出器１４に検出されるようになっている。なお、第２玉受部材１２ａ，１２ｂの開放期間として、一定時間だけで制御されるのではなく、所定個数（例えば、４個）の入賞玉が入賞したときに閉じるようにしても良い。
【００１０】
上記した可変表示装置３０と可変入賞球装置４との間には、もう１つの始動入賞口１５が配置されている。この始動入賞口１５にも始動入賞玉検出器１６が付設されている。しかして、上述の始動入賞口１３、１５に打球が入賞して始動入賞玉検出器１４、１６をＯＮさせると、特別可変表示装置を構成する表示部３７、変動表示器３９、及び変動表示器４１が変動開始し、一定時間（例えば、６秒）が経過したときに、その変動を停止するようになっている。なお、特別可変表示装置の変動中に打球が始動入賞口１３、１５へ入賞したときには、その入賞が記憶され（本実施形態の場合、最高４個まで）、変動停止後、記憶値に基づいて変動表示が開始される。また、始動入賞を記憶した旨が後述する始動記憶表示ＬＥＤ４４ａ〜４４ｄに表示されるようになっている。
【００１１】
また、遊技領域３には、前記始動入賞口１５の左右両側に始動ゲート１７ａ，１７ｂが配置されている。この始動ゲート１７ａ，１７ｂは、打球を入賞させるものではなく、単に通過させる構成となっており、その通過する玉を検出するために始動通過玉検出器１８ａ，１８ｂが内蔵されている。しかして、始動通過玉検出器１８ａ，１８ｂが通過玉を検出したときには、普通可変表示装置を構成する普通可変表示器４５ａ，４５ｂが可変表示し、一定時間が経過したときに停止するようになっている。そして、停止時の表示結果が当り態様（例えば、３、３又は７、７のゾロ目）であるときに前記第２玉受部材１２ａ，１２ｂを一定時間開放するものである。なお、始動ゲート１７ａ，１７ｂを打球を通過させることなく入賞させる入賞口として構成しても良いし、普通可変表示器４５ａ，４５ｂが可変中に始動ゲート１７ａ，１７ｂに打球が通過した場合に所定個数（例えば、４個）分だけ記憶できるようにしても良い。
【００１２】
更に、遊技領域３には、入賞口１９ａ，１９ｂ、２０ａ，２０ｂ、２１ａ，２１ｂ、遊技効果ランプ２２ａ，２２ｂ、アウト口２３、風車（符号なし）がそれぞれ配置又は設けられている。入賞口のうち可変入賞球装置４の左右側方に配置される入賞口２０ａ，２０ｂは、下部に風車が付設された風車付入賞口２０ａ，２０ｂを構成し、その風車の後方からランプで光を照射するようになっている。また、遊技領域３の両端中央に配置される遊技効果ランプ２２ａ，２２ｂは、特別可変表示装置や可変入賞球装置４の駆動中に点灯又は点滅してその旨を報知している。また、アウト口２３は、入賞口や入賞球装置に入賞しなかった打球を回収するために遊技領域３の最下方に設けられている。なお、上記した構成を有する遊技盤１の前面には、２枚のガラス板２４ａ，２４ｂ（図２参照）が設けられ、遊技領域３を保護している。
【００１３】
次に、図１及び図２を参照して、可変表示装置３０の構成について説明する。図において、可変表示装置３０は、遊技盤１の表面に取り付けられるほぼ円形状の取付基板３１を有し、その取付基板３１の上部にその前面を上部前面装飾板３２によって覆われる入賞口３３が形成されている。また、上部前面装飾板３２の表面には、特別可変表示装置や普通可変表示装置の作動中に点滅移動する装飾ＬＥＤ３４が臨むようになっている。
【００１４】
ところで、取付基板３１の後方は、すり鉢状に形成され、そのすり鉢状の底面を構成する底板３６とすり鉢状の前端開放縁とを結ぶドーナッツ部分が所定数（本実施形態では、１６）に区画されている。そして、それぞれの区画の外側に表示部３７ａ〜３７ｐが設けられ、内側に変動表示器３９ａ〜３９ｐが設けられている。表示部３７ａ〜３７ｐは、その表面に「１〜０」の１０個の数字、「Ｆ、Ｖ、Ｊ、Ｓ」の４個の英文字、「四分音符、円」の２個の記号、合計１６個の図柄のうちのいずれかの図柄が描かれると共に、図２に示すように表示部３７ａ〜３７ｐがすり鉢状の側面を構成している。また、表示部３７ａ〜３７ｐの背面には、それぞれに対応するように変動ＬＥＤ３８ａ〜３８ｐが配置されており、前記した始動入賞口１３、１５への打球の入賞があったときに、変動ＬＥＤ３８ａ〜３８ｐが点灯移動（反時計回転方向）する。したがって、表示部３７ａ〜３７ｐと変動ＬＥＤ３８ａ〜３８ｐとは、表示される図柄が変動する１つの変動表示部材を構成している。
【００１５】
また、前記内側に配置される変動表示器３９ａ〜３９ｐは、それぞれがドット・マトリックス・ディスプレイで構成される電気的変動表示部材であり、該電気的変動表示部材によって１つのパチンコ玉を画像として擬似的に表示することが可能である。また、後に詳述するように画像として擬似的に表示されたパチンコ玉が各変動表示器３９ａ〜３９ｐを転動移動している様子を表示するようにもなっている。したがって、変動表示器３９ａ〜３９ｐは、表示される図柄が変動する１つの変動表示部材を構成している。なお、図２に示すように、各変動表示器３９ａ〜３９ｐの前面は、有色透明の保護ガラス４０ａ〜４０ｐによって覆われている。
【００１６】
前記底板３６の中央には、１つのドット・マトリックス・ディスプレイで構成される変動表示器４１が設けられている。この変動表示器４１は、前記表示部３７ａ〜３７ｐに描かれている１６個の図柄を順次変動表示するものであり、このため、変動表示器４１も表示される図柄が変動する１つの変動表示部材を構成している。なお、図２に示すように、変動表示器４１の前面は、有色透明の保護ガラス４２によって覆われている。また、以上説明した３つの変動表示部材、即ち、表示部３７ａ〜３７ｐと変動ＬＥＤ３８ａ〜３８ｐ、変動表示器３９ａ〜３９ｐ、及び変動表示器４１とによって特別可変表示装置が構成されている。そして、この特別可変表示装置は、正面から見た場合にルーレットゲームを構成していることになる。また、ルーレットゲームの意匠をより明確にするため、ルーレットの回転レバーの意匠が付与された装飾部材４３が変動表示器４１を囲むように底板３６に固定されている。
【００１７】
更に、底板３６には、前記した始動入賞口１３、１５への入賞を記憶した旨を報知する始動記憶表示ＬＥＤ４４ａ〜４４ｄが設けられると共に、普通可変表示装置を構成する２つの普通可変表示器４５ａ，４５ｂが設けられている。この普通可変表示器４５ａ，４５ｂは、従来から変動表示部材としてよく利用されている７セグメントＬＥＤによって構成されている。したがって、普通可変表示器４５ａ，４５ｂは、０〜９までの１桁の数字と限られた英文字が表示されるに過ぎない。
【００１８】
また、本実施形態における可変表示装置３０には、特別可変表示装置と普通可変表示装置との２つの可変表示装置が設けられているところ、仮に２つの可変表示装置を同じ種類の変動表示部材（例えば、２つの可変表示装置を共に７セグメントＬＥＤだけで構成）で構成した場合には、同じような変動表示態様であるため、いずれの遊技を成立させるための変動表示が行われているか否かが分かりずらくなる。これに対し、本実施形態においては、特別可変表示装置を構成する変動表示部材と普通可変表示装置を構成する変動表示部材とが異なる種類の変動表示部材によって構成されているため、変動表示される図柄を含めて変動表示態様が明らかに異なり、いずれの遊技を成立させるための変動表示が行われているかを遊技者は容易に理解することができる。
【００１９】
また、上記した特別可変表示装置を構成する変動ＬＥＤ３８ａ〜３８ｐ、変動表示器３９ａ〜３９ｐ、及び変動表示器４１と普通可変表示装置を構成する普通可変表示器４５ａ，４５ｂとは、図２に示すように、可変表示装置３０の後部に設けた基板４６（プリント配線基板）の前面側に一体的に設けられ、基板４６の後面側に設けられる端子４７に配線を接続することにより、すべてに駆動信号が与えられるようになっている。
【００２０】
以上の構成からなる可変表示装置３０の動作について説明すると、打球が始動ゲート１７ａ，１７ｂに入賞して始動通過玉検出器１８ａ，１８ｂがＯＮすると、普通可変表示器４５ａ，４５ｂが可変表示を開始して一定時間が経過すると、その可変表示を停止する。停止したときの図柄の組合せが当り態様（３、７のゾロ目）であるときには、第２玉受部材１２ａ，１２ｂが一定時間開放する。第２玉受部材１２ａ，１２ｂが開放して始動入賞口１３に打球が入賞すると始動入賞玉検出器１４がＯＮして特別可変表示装置を駆動させる。なお、普通可変表示器４５ａ，４５ｂの可変表示は、大当り遊技状態の期間中不能動化されることが望ましい。
【００２１】
上記したように第２玉受部材１２ａ，１２ｂが開放して始動入賞口１３に打球が入賞したとき、又は始動入賞口１５に打球が入賞したときには、特別可変表示装置を構成する３つの変動表示部材の変動が開始される。即ち、変動ＬＥＤ３８ａ〜３８ｐが反時計方向に点灯移動し、図３の（Ａ）〜（Ｅ）にその一部を示すように変動表示器３９ａ〜３９ｐに１個の擬似パチンコ玉が反時計方向に順次移動するように表示され、変動表示器４１に所定の図柄が順次変動表示される。しかして、変動開始から一定時間が経過したときには、まず、変動表示ＬＥＤ３８ａ〜３８ｐの点灯移動を停止していずれかの表示部３７ａ〜３７ｐを点灯表示する。次に微小時間Ｔ１遅れて変動表示器４１の変動表示が停止されて表示部３７ａ〜３７ｐに表示される図柄のうちの１つの図柄が表示される。そして、変動ＬＥＤ３８によって点灯表示されている表示部３７に描かれている図柄と変動表示器４１に表示されている図柄が一致していないときには、変動表示器４１の変動停止後、微小時間Ｔ２遅れて変動表示器３９ａ〜３９ｐのいずれかに擬似パチンコ玉が停止する。この時、特別可変表示装置によって遊技者に有利となる状態とはなっていないので、可変入賞球装置４は、駆動されない。
【００２２】
一方、変動ＬＥＤ３８によって点灯表示されている表示部３７に描かれている図柄と変動表示器４１に表示されている図柄が一致している場合（リーチ状態という）には、変動表示器４１の変動停止後変動表示器３９ａ〜３９ｐの変動表示が停止するまでの時間Ｔ３が前記時間Ｔ２よりも延長されると共に、擬似パチンコ玉の移動速度も徐々に遅くなるように制御される。そして、いよいよ擬似パチンコ玉が停止する際には、図３に示すような表示制御が行われる。即ち、図３の（Ａ）〜（Ｅ）に示すように擬似パチンコ玉が変動表示器３９ｈから３９ｇにゆっくりと移動し、遂に変動表示器３９ｇで停止する際には、一旦擬似パチンコ玉は、図３（Ｆ）に示すように変動表示器３９ｆ（図示しない）側に行きかけて再度変動表示器３９ｇに戻る動作を所定回数（例えば、２〜３回）行うように表示制御される。このように表示制御することにより、より本物のルーレットゲームに近い玉の動作を表現して遊技者の興味を引き付けるようにしていると共に、当りになるのか外れになるかの期待感を盛り上げることができる。
【００２３】
しかして、リーチ状態において、擬似パチンコ玉の停止位置が変動ＬＥＤ３８によって点灯表示されている表示部３７と一致した場合には、大当り態様となって大当り遊技状態を発生させ、可変入賞球装置４を前記した所定の態様で駆動する。
【００２４】
このように、本実施形態においては、パチンコ玉（打球）が始動入賞口１３、１５に入賞した後に特別可変表示装置が変動動作を開始したときにも電気的変動表示部材である変動表示器３９ａ〜３９ｐに擬似パチンコ玉が変動表示されて、より本物のルーレットゲームに近い玉の動作を表現して臨場感を遊技者に与えることができるものである。
【００２５】
上記した実施形態においては、電気的変動表示部材としてドット・マトリックス・ディスプレイで構成される変動表示器３９ａ〜３９ｐを示したが、擬似パチンコ玉を表示することができる電気的変動表示部材であれば、どのような種類のものでも良い。例えば、図５に示すようなａ〜ｄの４種類７つのセルで構成される三日月状の液晶素子を円状に連続して形成した液晶表示器５０（ただし、図５においては、液晶表示器の円弧状の一部だけを示す）を使用して擬似パチンコ玉を変動表示するようにしても良い。この場合の変動表示は、図５（Ａ）に示すように、１つの擬似パチンコ玉を表示する中央４つのｄセルと、上下３つずつのｃセルと、上下２つずつのｂセルと、上下１つずつのａセルと、の駆動状態を順次１つずつ左のセルに移動させることにより、図５（Ｂ）に示すように擬似パチンコ玉を左方向に移動させるように表示制御することができる。
【００２６】
なお、上記した実施形態では、電気的変動表示部材としての変動表示器３９ａ〜３９ｐが付設される遊技装置として可変表示装置３０を例示したが、他の遊技装置、例えば、一対の開閉式の玉受部材を有し、その玉受部材に受け入れられた入賞玉が複数の入賞領域のうちＶ入賞領域に誘導されたときに大当り遊技状態を発生させる可変入賞球装置に適用しても良い。この場合には、玉受部材に受け入れられた入賞玉に基づいて擬似パチンコ玉が電気的変動表示部材に表示され、該擬似パチンコ玉がＶ入賞領域又は通常入賞領域のいずれかに誘導されるゲーム内容のものが考えられる。
【００２７】
【発明の効果】
以上説明したところから明らかなように、本発明においては、３つの可変表示部が可変開始したのち最後可変表示部以外の２つの可変表示部において図柄が停止表示された段階で該停止表示された図柄の組合せが予め定めた表示態様となる条件を満たしているときに、最後可変表示部の図柄の循環移動表示において、予め定めた表示態様となる条件を満たしていないときの表示時間よりも長い表示時間をかけて図柄の移動速度が徐々に遅くなるように表示制御すると共に図柄が停止する際に予め定めた表示態様となる停止位置に隣接する停止位置方向に行きかけたり予め定めた表示態様となる停止位置方向に戻ったりする揺れ動作を所定回数行うように図柄を表示制御されるため、大当りになるのか外れになるのかの期待感と不安感とが入り交じり、遊技者の期待感を盛り上げることができる。
【図面の簡単な説明】
【図１】実施形態に係る電気的変動表示部材が付設される可変表示装置の正面図である。
【図２】その可変表示装置を縦方向に切断した断面図である。
【図３】電気的変動表示部材に表示される擬似パチンコ玉が移動する様子を説明するための説明図である。
【図４】可変表示装置が適用される弾球遊技機の遊技盤の正面図である。
【図５】電気的変動表示部材の他の実施形態における擬似パチンコ玉が移動する様子を説明するための説明図である。
【符号の説明】
１  遊技盤
３０  可変表示装置
３８ａ〜３８ｐ  変動ＬＥＤ（可変表示部）
３９ａ〜３９ｐ  変動表示器（可変表示部）
４１  変動表示器（可変表示部）
５０  液晶表示器（可変表示部）
【図１】
0003625134.tif 000002
【図２】
0003625134.tif 000003
【図３】
0003625134.tif 000004
【図４】
0003625134.tif 000005
【図５】
0003625134.tif 000006